(57)【要約】本発明は、車両シート（１）とともに構成され、制御ユニット（９）に接続されている加熱デバイス（２）を含む、車両シート構成であって、制御ユニット（９）は、加熱デバイス（２）を加熱するために加熱デバイス（２）に電流を供給する電流供給手段を含み、温度センサ（１０）が、制御ユニット（９）に接続されて、加熱デバイス（２）の温度を検出し、制御ユニット（９）が、測定された温度が所定の温度値より下に下がる場合には電流を供給するように構成される、車両シート構成に関する。本発明は、車両シート構成が、車両シート（１）の乗員または物体の有無を検出するセンサ（３）を含み、センサ（３）が、シート（１）において加熱デバイス（２）とともに一体型部材として構成されることを特徴とする。【選択図】図１
2004504082.tif 000002
【特許請求の範囲】
【請求項１】
車両シート（１）とともに構成され、制御ユニット（９）に接続されている加熱デバイス（２）を含む、車両シート構成であって、
該制御ユニット（９）は、該加熱デバイス（２）を加熱するために該加熱デバイス（２）に電流を供給する電流供給手段を含み、温度センサ（１０）が、該制御ユニット（９）に接続されて、該加熱デバイス（２）の温度を検出し、該制御ユニット（９）が、測定された該温度が所定の温度値より下に下がる場合には該電流を供給するように構成される、車両シート構成は、該車両シート（１）の乗員または物体の有無を検出するセンサ（３）を含み、該センサ（３）は、該シート（１）において該加熱デバイス（２）とともに一体型部材として構成されることを特徴とする、車両シート構成。
【請求項２】
前記加熱デバイス（２）および前記センサ（３）が、前記シート（１）に取り付けられるように適合される、１つの単一一体型ユニットとして前もって作られることを特徴とする、請求項１に記載の車両シート構成。
【請求項３】
前記加熱デバイス（２）および前記センサ（３）が、２つの層状の、シート状の層として形成されることを特徴とする、請求項１または２に記載の車両シート構成。
【請求項４】
保護材料が、前記乗員センサ（３）と前記加熱デバイス（２）との間に提供されることを特徴とする、上記の請求項のいずれかに記載の車両シート構成。
【請求項５】
前記加熱デバイス（２）が、加熱ワイヤ（６）が上に配置されたキャリア層（５）を含むことを特徴とする、上記の請求項のいずれかに記載の車両シート構成。
【請求項６】
前記加熱デバイス（２）が、２つのキャリア層を含み、該２つのキャリア層の間に、加熱ワイヤ（６）が配置されることを特徴とする、請求項１〜４のいずれかに記載の車両シート構成。
【請求項７】
前記乗員センサ（３）は、複数の圧力感知素子（１３）が上に配置されたキャリア層（１２）を含むことを特徴とする、上記の請求項のいずれかに記載の車両シート構成。
【請求項８】
前記キャリア層が、さらに、前記加熱デバイス（２）の一部を形成する加熱ワイヤ（６）を支持することを特徴とする、請求項７に記載の車両シート構成。
【請求項９】
前記キャリア層（１２）が、ＰＥＴ、ＰＥＩ、またはＰＥＭのようなプラスチック材料から製造されることを特徴とする、請求項７または８に記載の車両シート構成。
【請求項１０】
前記制御ユニット（９）が、前記乗員有無センサ（３）上に配置されることを特徴とする、請求項７または８に記載の車両シート構成。
【請求項１１】
前記制御ユニット（９）が、さらに、前記乗員有無センサ（３）用の制御ユニットとしても用いられることを特徴とする、上記の請求項のいずれかに記載の車両シート構成。
【請求項１２】
前記温度センサ（１０）が、前記乗員有無センサ（３）の動作を制御するために用いられることを特徴とする、上記の請求項のいずれかに記載の車両シート構成。
【請求項１３】
前記加熱デバイス（２）が、前記乗員有無センサ（３）を加熱するように構成される、上記の請求項のいずれかに記載の車両シート構成。
【請求項１４】
前記制御ユニット（９）が、前記センサ（３）から測定信号が供給される時機に対して同期化された様態で、前記加熱デバイス（２）をオンとオフとに切り換えるように適合されることを特徴とする、上記の請求項のいずれかに記載の車両シート構成。
【請求項１５】
車両シート構成を製造する方法であって、
加熱デバイス（２）を提供する工程と、
車両シートの乗員の有無を検出するセンサ（３）を提供する工程と、
制御ユニット（９）に接続されて、該加熱デバイス（２）の温度を検出するように適合される温度センサ（１０）を提供する工程であって、該制御ユニット（９）は、測定された該温度が所定の温度値より下に下がる場合に該加熱デバイス（２）に電流を供給するように構成されている、工程と
を含む、方法であって、
該加熱デバイス（２）および該センサ（３）は、一体型部材として構成されることを特徴とする、
方法。
【請求項１６】
前記加熱デバイス（２）および前記センサ（３）が、２つの層状の、シート状の層として形成されることを特徴とする、請求項１５に記載の方法。
【請求項１７】
保護層（１７）が、前記乗員センサ（３）と前記加熱デバイス（２）との間に提供されることを特徴とする、請求項１５または１６に記載の方法。
【請求項１８】
前記制御ユニット（９）が、前記乗員センサ（３）に取り付けられることを特徴とする、請求項１５〜１７のいずれかに記載の方法。
【発明の詳細な説明】
【０００１】
（技術分野）
本発明は、車両シートとともに構成された加熱装置であり、シートを暖めるために加熱装置に電流を供給する電流供給手段を備えた制御ユニットに接続された加熱装置、および上記制御ユニットに接続され、上記加熱装置の温度を検出する温度センサーを備え、制御ユニットは測定温度が所定の温度値よりも下がると電流を供給するように構成された、車両シート構成に関する。
【０００２】
さらに、本発明は、車両シート構成を製造する方法に関する。
（発明の背景）
快適性および安全性のために、今日の車両には、電気によって暖めることが可能な車両シートが設けられることが多い。運転席は、車両内の他のシートと同様に、熱線の形状で各シートに配置され得る導電ワイヤの形態を有する加熱素子によって暖められ得るように構成され得る。通常、このような加熱素子は、シートの製造時に、各シートの背もたれおよびクッションに配置される。
【０００３】
加熱素子は、さらに、電流を伝達する電流供給ユニットに接続される。このようにして、加熱素子は適切な温度に暖められ得る。各シートは、その表面（すなわち、シートを占有する人と接触する面）の温度が慎重に調節されることを必要とする。この目的のために、加熱素子の温度が、シートにおいて加熱素子に近接するように構成され、中央制御ユニットに接続された温度センサによって検出され得る。温度センサおよび制御ユニットを用いて温度が検出され得る。制御ユニットはまた、電流供給回路を備え、これによって、温度がある一定の所望される設定値に達するまでの時間、ある一定の電流が加熱素子に供給され得る。この設定値の調節は、固定された抵抗または当該シートの乗員によって調節される調節可能ポテンシオメータのいずれかによって行われ得る。
【０００４】
上記の制御方法を用いて、中央制御ユニットが（上記温度センサを用いて）設定値に達したことを示すまで、電流が加熱素子に供給され得る。この時、制御ユニットは電力供給を停止する。これによって、加熱素子が徐々に冷却される。加熱素子が冷却され、その温度が再度設定値を下回ると、電力供給が再開される。このようにして、システムが動作している限り、温度制御は継続される。
【０００５】
加熱素子への電流供給の制御は、他の手段、例えば、（例えば、通常は車両のエンジンの動作制御、または車両のコンパートメントの空気調整の制御のために用いられる制御ユニットの形態で）車両と一体化される制御ユニットによっても行われ得る。このために、そのような外部制御ユニットが、上記の加熱機制御ユニットと通信するように適合され得る。このような通信の構成は、特許文献ＷＯ９８／０１７９８およびＷＯ９８／０１０５９によって以前から知られている。
【０００６】
さらにまた、今日の車両では、車両の乗員の保護のために１つまたはいくつかのエアバッグを用いることが一般的である。この点で、エアバッグに関連づけられたシートの乗員の有無を検出する必要がある。特に、シートに乗員または物体が存在することを示すために、シートに働く負荷を検出することが所望される。このような検出の結果は、例えば、上記エアバッグ等の種々の機能を作動させるかまたは非作動にするために用いられ得る。これは、車両の搭乗者用のエアバッグが、例えば、後方を向いたチャイルドシートがエアバッグの前に位置する場合、または安全ベルトを使用していない搭乗者がエアバッグの作動時に前傾した場合に作動すると、重傷の原因となり得るためである。このような検出の結果は、特に、ヘッドライトの調節またはシートベルトに関する警告を行う車両の他の機能を作動させるために用いられ得る。
【０００７】
このため、乗員が（同様にエアバッグに関連付けられた）シートにいるかどうかを示すか、または補助的なチャイルドシートがシートに位置するかどうかを示すように構成されたセンサ構成を車両に装備することが以前より知られている。また、好ましくは、チャイルドシートの向き、または用いられているチャイルドシートのタイプが判定される。このようにして、車両内のエアバッグ保護システムは、例えば、チャイルドシートが当該シート上に配置されている場合、非作動にされ得る。これは、作動したエアバッグによって、チャイルドシートに着座する人が負傷する危険がなくなり得るため利点となる。
【０００８】
車両シートの人または物体の存在を検出する構成は、特許文献ＷＯ９８／１４３４５によって以前より知られている。この発明は、着座した人のいくつかのパラメータを判定する方法に関する。それらのパラメータの評価は、その人のサイズおよび／または体重の評価を含み得る。
【０００９】
しかしながら、上述のような加熱素子が設けられたシートが、上記車両の乗員の存在を検出する個別のセンサも装備する場合、種々の問題が生じ得る。まず、加熱素子が、センサが設置されるシートクッションの表面の特定の部分のみに接着され得ることに留意されたい。これによって、加熱素子を設置する領域が比較的に限定される。さらに、乗員センサの表面が加熱素子用に用いられる接着剤と接する危険性がある。このため、センサをあらかじめ曲ることになり得、それによって、乗員センサからの検出信号を劣化させることになり得る。また、このような公知の構成は多数の部材を備え、それによって、シートのコストが高くなる。さらにまた、このような構成は、シートの組立てが複雑かつ高価となり、これによってもコストが高くなる。また、２つの部材、すなわち、加熱素子および乗員センサは、これらの部材が相互に非常に近接して設置されるため、その動作がを妨害する危険性がある。また、このような加熱素子および乗員センサの組立ては、その寿命時間の間にセンサが位置ずれを起こす危険性を伴う。最後に、このような加熱素子および乗員センサの組立は、加熱素子が乗員センサの動作を妨害する危険性を伴う。すなわち、センサは加熱時に誤った信号を供給し得る。
【００１０】
結果として、これら２つの部材を同じ車両シート内に組み込むという試みには種々の問題が伴う。
（発明の要旨）
本発明の１つの目的は、改善された車両シート構成を提供することであり、これによって、上記の問題が解決され得る。これは、車両シートの乗員または物体の存在を検出し、シートの加熱装置と一体化された部材として構成されるセンサを備える、冒頭に述べたような構成によって達成される。
【００１１】
本発明によっていくつかの利点が得られ得る。まず、本発明は、その製造時に車両シートに容易に設置され得る単一の組立済みユニットを構成することに留意されたい。さらに、共通の一体型ユニットを用いることにより、乗員センサが個別の接着点を必要としないため、その車両シートの表面への接着力を必要なだけ大きくし得る。また、本発明によって、乗員センサが加熱素子に対して位置ずれする危険性を伴う問題がなくなり得る。
【００１２】
「乗員有無（ｐｒｅｓｅｎｃｅ）センサ」（または「センサ」）という用語は、以下において、車両シートに位置する乗員または物体の存在を検出するデバイスを定義するために用いられる。このセンサはまた、例えば、補助的なチャイルドシートが特定の車両シートに位置するかどうかを判定するために用いられ得る。結果として、このセンサは、上記シートが人または物体によって占有されているかどうかを示す測定信号を提供することを企図する。
【００１３】
次に、本発明は、例示のため、以下の図面を参照しながらより詳細に説明されるが、この説明は限定するものではない。
【００１４】
（好適な実施形態）
図１に、本発明による構成の、模式的、かつ僅かに簡略化した回路図を示す。好ましい実施形態によると、本発明は、車両内の電気的に加熱可能なシート１とともに用いることを意図する。
【００１５】
図１に、一体型加熱および乗員有無検出システムを概して構成する、本発明の一部を形成する主な部材を示す。好適な実施形態によると、構成は、シート加熱デバイス２および乗員有無センサ３を含む。図１において、シート加熱デバイス２および乗員有無センサ３は、別々に示されているが、組み立てられ、一体型部材として構成され、車両シート１内の所定の領域４に配置されることが意図される。
【００１６】
本発明は、任意の特定のタイプの車両シートに限定されるものではなく、加熱可能シートが用いられ得る、自動車、バス、トラック、あるいは、他のタイプの車両において用いられ得ることが留意されるべきである。
【００１７】
次に、加熱デバイス２を詳細に説明する。加熱デバイス２は、概して薄く、可撓性のある、織物または類似する材料のシート状のキャリア層５を含む。キャリア層５は、電気的導電性のワイヤ状の加熱素子６を含む。加熱素子２自体は、従来公知の種類の素子であり、導電性ワイヤの電気抵抗によって規定される加熱コイルを形成する。好ましくは、対象のシート１の加熱条件に適合するレイアウトに従って、ワイヤはキャリア層５の中に織られる。しかし、加熱ワイヤは、他の方法、例えば、１つではなく２つのキャリア層を提供することによって、取り付けられ得る。このような場合、加熱ワイヤは、この２つの層の間に位置付けられる。あるいは、加熱ワイヤは、あらゆるキャリア層なしに用いられてもよい。
【００１８】
加熱素子２は、車両シート１の内部、好ましくは、車両シート１のクッション内に配置されることが意図される。原則としては、加熱素子２は、シート１の背もたれに位置付けられてもよい。図面には１つの加熱素子２しか示していないが、このような素子をいくつか、例えば、シートのクッション用の別の加熱素子、およびシートの背もたれ用の加熱素子の形で、制御ユニット１に接続することが可能である。
【００１９】
加熱素子６は、制御ユニット９に接続されることが意図される、２つの端子７および８によって終端されている。制御ユニット９は、車両内の適切な位置に配置され、対応する電気的コンダクタを介して、端子７および８に接続されている。
【００２０】
それ自体が公知の様態で、制御ユニット９は、シート１を加熱するため、加熱素子５を介してある特定の電流Ｉを供給するように構成される。この動作を、以下により詳細に説明する。
【００２１】
図１には、本発明を僅かに簡略化した形で示していることが留意されるべきである。結果として、図には、制御ユニット９の全ての構成要素を示さず、本発明を理解するために必要な部分のみを示している。
【００２２】
さらに、加熱素子２の近傍に、制御ユニット９に電気的に接続されている温度センサ１０が配置されている。温度センサ５は、好ましくは、ＮＴＣタイプ（負の温度係数）のサーミスタの型をとり、加熱素子２の近傍に存在する温度Ｔに対応する温度依存抵抗Ｒを有する。あるいは、ＰＴＣ温度センサタイプ（正の温度係数）の温度センサが用いられてもよいし、または、温度に依存する信号を供給する任意の他のタイプのセンサが用いられてもよい。
【００２３】
さらに、さらなる接続を介して制御ユニット９に接続されている電流供給源１１が含まれる。電流供給源１１は、好ましくは、車両の始動バッテリーによって構成される。システムは、さらに、例えば、車両の点火ロックと一体型のオン／オフスイッチ（図示せず）を含む。スイッチは、スイッチが閉じている場合に制御ユニット９がアクティブにされるように構成される。あるいは、スイッチは、制御ユニット９によって提供される制御機能によって構成される。このような場合、スイッチは、例えば、ドアロックセンサ（図示せず）が少なくとも１つの車両のドアが開けられたことを示す結果として、アクティブにされ得る。この様態で、加熱デバイス２の加熱は、車両が出発する前に、好ましくは、シートに座る前にさえ、アクティブにされ得る。
【００２４】
以下の記載において、制御ユニット９の概略的な設計および主な機能を説明する。制御ユニット９は、論理ユニットを含む。論理ユニットは、好ましくは、コンピュータベースであるが、従来公知の電子回路を含んでいてもよい。論理ユニットは、温度センサ１０によって検出される、シート１における温度Ｔの表示を確立するように構成される。この検出は、好ましくは、ホイートストンブリッジ型（図示せず）の測定ブリッジを利用する。測定ブリッジは、論理ユニットが現在の温度Ｔに対応する値を計算できるように構成される。検出は、任意の他の適切な測定ブリッジ回路によって、代替的に実行され得る。
【００２５】
さらに、制御ユニット９は、上記の論理ユニットからの信号に依存して、加熱素子２を介して電流Ｉを供給するスイッチユニット（図示せず）を含む。スイッチユニットは、好ましくは、ＭＯＳＦＥＴトランジスタに基づく。ＭＯＳＦＥＴトランジスタは、大量の電流を電流供給源１１から加熱素子６に効率的に伝達する半導体部品であり、さらに、電流供給源１１と加熱デバイス２との間の電流を制御するためにも用いられ得る。あるいは、スイッチユニットは、例えば、他のタイプのトランジスタまたはリレーによって、他の方法で形成され得る。
【００２６】
従って、制御ユニット９の論理ユニットは、現在の温度Ｔの値を判定するように構成される。温度Ｔが、車両シート１の表面上のある特定の所望の温度に対応する予め設定された値ＴＡより低い場合、論理ユニットは、上記のスイッチユニットを制御して、電流Ｉを加熱素子６に伝達する。設定値ＴＡに達する場合、論理ユニットは、スイッチユニットによって、加熱素子６への電流の供給をオフに切り換える。
【００２７】
本発明は、加熱を調節するために、上記のタイプの電流制御に限定されない。あるいは、加熱の制御は、加熱ワイヤの電圧レベルの調節に基づき得る。
【００２８】
さらに、上述したように、本発明による、組み合わされた加熱デバイスおよび乗員センサ構成の一体的な部分として構成される乗員有無センサ３が設けられる。この目的のため、センサ３は、キャリア層１２の形状の支持素子を含む。キャリア層１２は、概して、薄く、可撓性のある、適切なプラスチック材料、好ましくは、ＰＥＴのシートである。しかし、本発明は、ＰＥＴの使用に限定されず、例えば、ＰＩ、ＰＥＭ、または任意の他の適切な材料、好ましくは、プラスチック材料などの他の材料も用いられ得る。
【００２９】
キャリア層１２は、キャリア層１２上でアレイまたはマトリクス状に配置された複数の圧力感知素子１３を支持する。圧力感知素子１３のそれぞれは、それ自体が公知の様態で、圧力感知部材または材料を含む。さらに、素子１３は、複数の端子によって終端されている電気的コンダクタ（図１には示していない）によって、電気的に相互接続されている。複数の端子のうち、２つの端子１４および１５が、模式的に図１に示される。端子１４および１５は、電気的コンダクタを介して、第２の制御ユニット１６に接続されている。第２の制御ユニット１６は、好ましくは、上記の電流供給源１１から電力を供給されているが、圧力感知素子１３のそれぞれからの信号によって、シート１上に及んでいる圧力分布の測定をするように構成される。測定された圧力分布パターンを、第２の制御ユニット１６に格納されている所定の圧力分布パターンと比較することによって、第２の制御ユニット１６は、人または物体がシート１に位置しているか否かを示す出力信号を提供し得る。エアバッグ（図示せず）が、シート１に関連付けられている場合、出力信号は、例えば、エアバッグの作動を可能にするか、または防ぐために用いられ得る。出力信号は、乗員または物体がどのようにシートに位置するか、例えば、シートにおいて、人が前方または後方に傾いているかを判定するようにも用いられ得る。
【００３０】
本発明を、特に、車両のシートの規定された検出領域を参照しながら、人の存在または不在を検出するために用いることを意図するが、これに限定されない。例えば、検出は、乗員が検出領域にいない場合、エアバッグを作動させないことを目的とするシステムにおいて利用される。これは、エアバッグが、必要なしに起動することを防ぎ、チャイルドシートが車両のシートに位置すること、もしくは、乗員が車両のシートの不適切な位置に座ることに起因する負傷を引き起こすことを防ぐ。この目的のため、検出領域は、シート１の限定された部分を含むように適切に選択される。このことによって、存在は、単に人がシートに存在しているという意味ではなくなり、人がシートに基本的にもたれて座るか、または、背もたれからある特定の最大距離内に座らない限り、存在が検出されないことになる。これは、チャイルドシートが、子供がチャイルドシートに座っている状態で車両シート内に位置する場合に、不在が検出され、衝突の際には、対応するエアバッグが作動しないことを意味する。
【００３１】
本発明による乗員有無センサ３は、加熱デバイス２を作動させるために、代替的に用いられ得る。これは、加熱デバイスに利用することができる電力が限定された量しかない場合に、特に有用である。このような実施形態によると、上記の２つの制御ユニット９および１６は、好ましくは、１つの単一ユニットへと一体化される。また、この場合、このような制御ユニットは、シート１に人が座っている場合にのみ、加熱デバイス２の作動を可能にするように構成される。
【００３２】
図２に、図１に対応しているが、加熱デバイス２および乗員有無センサ３が組み立てられている状態に構成された状態の斜視図を示す。本発明は、加熱デバイス２および乗員有無センサ３が、層状の様態で組み立てられ、一体型ユニットを形成する２つの部材として構成されるということに依拠する。このため、乗員有無センサ３は、加熱デバイス２がそのセンサの上に位置するので、図２においては、完全には見えない。具体的には、これらの部材は、好ましくは、前もって作られるか、または、前もって組み立てられて、シートの製造の間、車両のシートに取り付けられることが意図される１つの単一ユニットを形成する。
【００３３】
本発明の好ましい実施形態によると、加熱デバイス２および乗員有無センサ３は、接着剤でつけること、または、アイロンがけをすること（ｉｒｏｎｉｎｇ）によって組み立てられる。より正確には、加熱デバイス２は、接着剤がついている１つまたは２つのキャリア層を含む。これらの層は、センサの上側で、キャリア層のうち１つを用いること、または、２つのキャリア層を用いること、すなわち、センサの両側に１つずつ用いることのいずれかによって張り合わされる。２つのキャリア層を用いる場合、両方のキャリア層が接着剤を有していてもよいし、加熱ワイヤを有するキャリア層のみに接着剤が提供されていてもよい。
【００３４】
さらに、保護層は、乗員センサと加熱ワイヤとの間、すなわち、完全なサンドイッチ部材の内部に位置し得る。このような保護層は、適切なフォーム、フェルトまたは織物材料から製造され得る。
【００３５】
さらに、加熱ワイヤ６は、直接、乗員センサ表面（すなわち、センサキャリア層１２の表面）上に、例えば、表面上に接着剤で直接つけることによって構成されてもよい。
【００３６】
２つの制御ユニット９、１６（図１も参照）は、好ましくは、共通の論理ユニットがあるか、またはない状態で、共通のハウジングにおいて結合され得る。この様態で、温度の検出および乗員有無センサ３からの信号を用いる加熱制御部材は、１つの単一ユニットに収容され得る。この結合されたユニットには、さらに、車両内の外部コンピュータシステムと通信し得る共通の通信システムが設けられる。
【００３７】
２つの制御ユニット９、１６、または上記の単一（すなわち、結合）制御ユニットのうちのいずれか１つは、加熱デバイス２、または乗員センサ３上に位置し得る。好ましくは、このような制御ユニットは、乗員センサのキャリア層１２上にクリンプされている。
【００３８】
さらに、温度センサ１０は、上述したように、加熱デバイス２上に位置し得る。あるいは、温度センサ１０は、乗員センサ３の表面（すなわち、キャリア層１２の表面）上に位置し得、温度センサ１０からの信号は、上述したように、加熱素子を制御するために用いられ得る。
【００３９】
１つより多い温度センサが用いられ得る。乗員センサキャリア１２の表面に沿って、いくつかの温度センサを位置付けることによって、車両シート表面の様々な領域からの温度信号は、乗員センサの動作を向上させるために用いられ得る。例えば、乗員センサ機能における温度を用いることによって、車両シートフォームの剛性の差が、補償され得る。この様態で、より正確な信号を入手することができる。
【００４０】
さらに、加熱素子２は、乗員センサ３の圧力点１３を加熱するように、動作し得る。好ましくは、シートは、僅かに（例えば、約１０℃より上に）加熱される。
【００４１】
本発明の特定の実施形態によると、加熱デバイス２の加熱、すなわち、加熱電流の加熱ワイヤ６への供給は、好ましくは、乗員センサ３の測定サイクルと同期化される。すなわち、測定信号がセンサ３から供給される時機と同期化される。これは、例えば、加熱デバイス２が、測定信号が乗員センサ３から供給される各時点のちょうど前でオフに切り換えられるように、制御され得ることを意味する。加熱デバイス２をオフに切り換えることによって、加熱ワイヤ６を冷却することが可能になる。これは、測定信号が乗員センサ３から供給されるたびに、乗員センサ３が基本的に均一な温度を与えられる状況につながり得る。この様態で、乗員センサ３を用いる測定中における、加熱デバイス２からの干渉のリスクが解消され得る。これは、本発明のさらなる利点である。
【００４２】
図３に、本発明による、一体型加熱素子および乗員センサの設計の模式的な形態を示す。この点に関して、図３は、好適な実施形態に従って用いられ得る、様々な層および部材を示す。特に、本発明による、組み合わせられた構成は、上述の図１に示したキャリア層に相当する、第１の層５またはキャリア層を含む。加熱ワイヤ６は、適切な様態、例えば、第１の層５に織り込むこと、または第１の層５に接着剤でつけることによって、第１の層５の下側に取り付けられる。
【００４３】
加熱ワイヤ６の取り付けは、第２の層１７を用いることによって、達成され得る。この様態で、加熱層６が、第１の層と第２の層１７との間に配置される。この場合、加熱ワイヤ６上に、接着剤は必要ない。代わりに、２つの層５および１７は、第１の層５の下側に接着剤を提供することによって（かつ／または接着剤を第２の層の上側に提供することによって）、接着剤で互いにつけられ得る（この場合、加熱ワイヤ６はその間に位置する）。
【００４４】
第２の層１７の利点は、加熱ワイヤ６と乗員有無センサ３（図１参照）との間に配置された保護層を構成することである。この様態で、加熱ワイヤ６は、乗員有無センサ３の圧力感知素子１３との直接的な接触から保護される。
【００４５】
さらなる保護として、第３の層１８が、センサキャリア層１２の下に提供され得る。しかし、これは、全ての適用例において、必要とされているわけではない。
【００４６】
本発明による構成を製造する場合、適切な層の全て（存在する場合）は、加熱ワイヤ６および有無センサ３と、一体型、層状アセンブリになるように結合される。その後、このアセンブリは、車両シート製造中に、単一ユニットとして車両シートに取り付けられ得る。
【００４７】
本発明は、上記の実施形態に限定されず、添付の特許請求の範囲内で、変更され得る。例えば、本発明は、様々な方式で構成され得る。例えば、３つの層５、１７、および１８のそれぞれがあってもよいし、なくてもよい。さらに、乗員センサは、圧力（感知領域を圧縮する）またはたわみ（感知領域を曲げる）のいずれかによって直接動作する、圧力センサの形をとってもよい。他のタイプのセンサ、例えば、車両内において電場上にいる人間の影響を検出する容量性センサも可能である。
【００４８】
また、加熱デバイス２が、乗員有無センサ３の上に配置されている図１に示すものとは反対に、本発明は、代替的に、乗員有無センサ３を加熱デバイス２の上に配置することによっても達成され得る。
【００４９】
さらに、本発明は、図３に示す保護層１７、１８とともに実現されてもよいし、保護層１７、１８なしに実現されてもよい。また、加熱ワイヤは、図１に示すキャリア層５の下または上に配置され得る。また、上記の感知素子１３のような乗員感知素子をサポートするために、加熱デバイスの層を用いることが可能である。
【図面の簡単な説明】
【図１】図１は、本発明による構成を示す模式図である。
【図２】図２は、概して図１に対応しているが、組み立てられた状態の構成を示す模式図である。
【図３】図３は、本発明による、一体型構成の斜視図である。
【国際公開パンフレット】
2004504082.tif 000003
2004504082.tif 000004
2004504082.tif 000005
2004504082.tif 000006
2004504082.tif 000007
2004504082.tif 000008
2004504082.tif 000009
2004504082.tif 000010
2004504082.tif 000011
2004504082.tif 000012
2004504082.tif 000013
2004504082.tif 000014
2004504082.tif 000015
2004504082.tif 000016
2004504082.tif 000017
2004504082.tif 000018
2004504082.tif 000019
2004504082.tif 000020
2004504082.tif 000021
2004504082.tif 000022
2004504082.tif 000023
2004504082.tif 000024
2004504082.tif 000025
2004504082.tif 000026
【国際調査報告】
2004504082.tif 000027
2004504082.tif 000028
2004504082.tif 000029